【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
像担持体に形成された潜像を現像する現像ローラと、
周面に溝が形成されて、前記現像ローラに液体現像剤を塗布する塗布ローラと、を有し、
前記溝は、前記塗布ローラの軸方向端部の溝深さは、前記軸方向の中央部の溝深さよりも浅く形成されることを特徴とする現像装置。
【請求項２】
前記溝は前記塗布ローラの軸方向の端部から前記塗布ローラの軸方向の中央部に向けて溝深さが深くなる請求項１記載の現像装置。
【請求項３】
前記塗布ローラの鉛直方向の下方に現像剤容器を有し、
前記現像剤容器は、液体現像剤を貯留する供給貯留部、該供給貯留部の前記塗布ローラの軸方向の中央部で鉛直方向の下方に設けられ液体現像剤を前記供給貯留部に供給する液体現像剤供給口と、及び前記液体現像剤供給口から供給される液体現像剤を前記塗布ローラの軸方向の中央部から端部側に搬送するオーガを備える請求項１または請求項２に記載の現像装置。
【請求項４】
前記現像剤容器に設けられる回収貯留部と、
前記供給貯留部と前記回収貯留部とを隔てる仕切り部と、を有し、
前記仕切り部の前記塗布ローラの軸方向の端部の鉛直方向の高さは前記塗布ローラの軸方向の中央部の鉛直方向の高さより低い請求項３に記載の現像装置。
【請求項５】
前記塗布ローラに当接し前記現像ローラに塗布する液体現像剤の量を規制する規制ブレードを有し、
前記規制ブレードの前記塗布ローラの軸方向の長さは前記塗布ローラの軸方向の長さより長い請求項１乃至請求項４のいずれか１項に記載の現像装置。
【請求項６】
潜像が形成される像担持体と、
前記像担持体に形成された前記潜像を現像する現像ローラ、及び周面に溝が形成されて前記現像ローラに液体現像剤を塗布する塗布ローラを有する現像部と、
前記現像ローラにより前記像担持体で現像された像を記録媒体に転写する転写部と、を有し、
前記溝は、前記塗布ローラの軸方向端部の溝深さは、前記軸方向の中央部の溝深さよりも浅く形成されることを特徴とする画像形成装置。
【請求項７】
前記像担持体の前記塗布ローラの軸方向の長さは前記現像ローラの軸方向長さより長い請求項６に記載の画像形成装置。
【手続補正２】
【補正対象書類名】明細書
【補正対象項目名】０００６
【補正方法】変更
【補正の内容】
【０００６】
本発明は上記課題を解決するためのもので、本発明に係る現像装置は、像担持体に形成された潜像を現像する現像ローラと、周面に溝が形成されて、前記現像ローラに液体現像剤を塗布する塗布ローラと、を有し、前記溝は、前記塗布ローラの軸方向端部の溝深さは、前記軸方向の中央部の溝深さよりも浅く形成されることを特徴とする。
【手続補正３】
【補正対象書類名】明細書
【補正対象項目名】０００７
【補正方法】変更
【補正の内容】
【０００７】
また、本発明に係る現像装置は、前記溝は前記塗布ローラの軸方向の端部から前記塗布ローラの軸方向の中央部に向けて溝深さが深くなる。
【手続補正４】
【補正対象書類名】明細書
【補正対象項目名】０００８
【補正方法】変更
【補正の内容】
【０００８】
また、本発明に係る現像装置は、前記塗布ローラの鉛直方向の下方に現像剤容器を有し、前記現像剤容器は、液体現像剤を貯留する供給貯留部、該供給貯留部の前記塗布ローラの軸方向の中央部で鉛直方向の下方に設けられ液体現像剤を前記供給貯留部に供給する液体現像剤供給口と、及び前記液体現像剤供給口から供給される液体現像剤を前記塗布ローラの軸方向の中央部から端部側に搬送するオーガを備える。
【手続補正５】
【補正対象書類名】明細書
【補正対象項目名】０００９
【補正方法】変更
【補正の内容】
【０００９】
また、本発明に係る現像装置は、前記現像剤容器に設けられる回収貯留部と、
前記供給貯留部と前記回収貯留部とを隔てる仕切り部と、を有し、
前記仕切り部の前記塗布ローラの軸方向の端部の鉛直方向の高さは前記塗布ローラの軸方向の中央部の鉛直方向の高さより低い。
【手続補正６】
【補正対象書類名】明細書
【補正対象項目名】００１０
【補正方法】変更
【補正の内容】
【００１０】
また、本発明に係る現像装置は、前記塗布ローラに当接し前記現像ローラに塗布する液体現像剤の量を規制する規制ブレードを有し、前記規制ブレードの前記塗布ローラの軸方向の長さは前記塗布ローラの軸方向の長さより長い。
【手続補正７】
【補正対象書類名】明細書
【補正対象項目名】００１１
【補正方法】変更
【補正の内容】
【００１１】
また、本発明に係る画像形成装置は、潜像が形成される像担持体と、前記像担持体に形成された前記潜像を現像する現像ローラ、及び周面に溝が形成されて前記現像ローラに液体現像剤を塗布する塗布ローラを有する現像部と、前記現像ローラにより前記像担持体で現像された像を記録媒体に転写する転写部と、を有し、前記溝は、前記塗布ローラの軸方向端部の溝深さは、前記軸方向の中央部の溝深さよりも浅く形成されることを特徴とする。
【手続補正８】
【補正対象書類名】明細書
【補正対象項目名】００１２
【補正方法】変更
【補正の内容】
【００１２】
また、本発明に係る画像形成装置は、前記像担持体の前記塗布ローラの軸方向の長さは前記現像ローラの軸方向長さより長い。
【手続補正９】
【補正対象書類名】明細書
【補正対象項目名】００１３
【補正方法】変更
【補正の内容】
【００１３】
また、本発明に係る現像装置は、像担持体上に形成された静電潜像を現像する現像ローラと、該現像ローラに液体現像剤を塗布する塗布ローラと、を有し、該塗布ローラの外周囲には長手方向にわたって溝が形成される溝領域が設けられると共に、溝領域の端部の溝深さは溝領域の中央部の溝深さより浅く形成されることを特徴とする。
また、本発明に係る現像装置は、溝深さが浅い溝領域端部は画像形成領域外に対応する該塗布ローラ外周囲に設けられることを特徴とする。
また、本発明に係る現像装置は、溝領域端部から溝領域中央部に向かうに従って溝深さが深くなることを特徴とする。
また、本発明に係る現像装置は、該塗布ローラ下部に設けられる現像剤容器と、該現像剤容器に設けられる供給貯留部と、該供給貯留部の長手方向中央部下面に設けられ液体現像剤を該供給貯留部に供給する液体現像剤供給口と、該液体現像剤供給口から供給される液体現像剤を長手方向端部側に搬送するオーガと、を有することを特徴とする。
また、本発明に係る現像装置は、該現像剤容器に設けられる回収貯留部と、該供給貯留部と該回収貯留部とを隔てる仕切り部と、を有し、該仕切り部の長手方向端部の高さは長手方向中央部の高さより低く設定されることを特徴とする。
また、本発明に係る現像装置は、該塗布ローラに当接し該現像ローラに塗布する液体現像剤量を規制する規制ブレードを有し、該規制ブレードの長手方向長さは該塗布ローラの長手方向長さより長いことを特徴とする。
また、本発明に係る画像形成装置は、像担持体上に形成された静電潜像を現像する現像ローラと、該現像ローラに液体現像剤を塗布する塗布ローラと、該像担持体上で現像された現像像を記録媒体に転写する手段と、を有し、該塗布ローラの外周囲には長手方向所定幅にわたって溝が形成される溝領域が設けられると共に、溝領域の端部の溝深さは溝領域の中央部の溝深さより浅く形成されることを特徴とする。
また、本発明に係る画像形成装置は、該像担持体の長手方向長さは該現像ローラの長手方向長さより長いことを特徴とする。